(57)【要約】【課題】シンカーがウォームに固定されることで、ウォームとシンカーとの間に水草が巻き付いくのを防ぎ、ウォームが破損し易くなるのを防止してウォームの再使用を可能にした釣り具を提供する。【解決手段】本発明は、釣り具であって、対象魚を誘引するためのウォーム(１１０)と、前記ウォーム(１１０)に挿入され、対象魚を釣るためのフック(１２０)と、前記ウォーム(１１０)とフック(１２０)が固定されるシンカー(１３０)を備え、前記シンカー(１３０)は、一端部に釣り糸(２)が固定される固定ホール(１３２ａ)が形成され、中央部に前記フック(１２０)の固定部(１２２)が挿入される貫通孔(１３２ｂ)が形成されている頭部(１３２)と、前記頭部(１３２)の他端部から突出し前記ウォーム(１１０)の一端から内側に挿入されて前記ウォーム(１１０)と前記シンカー(１３０)とを結合させる挿入部(１３４)とを備える釣り具。【選択図】図３
2008167754.tif 000002
【特許請求の範囲】
【請求項１】
釣り具であって、
対象魚を誘引するためのウォーム(１１０)と、
前記ウォーム(１１０)に挿入され、対象魚を釣るためのフック(１２０)と、
前記ウォーム(１１０)とフック(１２０)が固定されるシンカー(１３０)を備え、
前記シンカー(１３０)は、
一端部に釣り糸(２)が固定される固定ホール(１３２ａ)が形成され、中央部に前記フック(１２０)の固定部(１２２)が挿入される貫通孔(１３２ｂ)が形成されている頭部(１３２)と、
前記頭部(１３２)の他端部から突出し前記ウォーム(１１０)の内側に挿入されて前記ウォーム(１１０)と前記シンカー(１３０)とを結合させる挿入部(１３４)と
を備える釣り具。
【請求項２】
前記シンカー(１３０)の頭部(１３２)の一面には、
前記貫通孔(１３２ｂ)と連通される支持溝(１３２ｃ)が形成され、前記フック(１２０)の固定部(１２２)は略「Ｌ」状に曲がり、その端部が前記支持溝(１３２ｃ)内に支持されることを特徴とする請求項１に記載の釣り具。
【請求項３】
前記頭部(１３２)の他面には前記貫通孔(１３２ｂ)と連通される他の支持溝(１３２ｄ)が形成されることを特徴とする請求項２に記載の釣り具。
【請求項４】
前記挿入部(１３４)は終端が尖って形成され、軸方向に沿って係止段(１３４ａ)が複数形成されて前記ウォームと挿入部の結合力が増加することを特徴とする請求項１に記載の釣り具。
【請求項５】
前記挿入部(１３４)の係止段(１３４ａ)は、
前記終端側に収斂するテーパーされている形状を有することを特徴とする請求項４に記載の釣り具。
【発明の詳細な説明】
【技術分野】
【０００１】
本発明は、釣り具に関し、より詳細にはウォームの再使用が可能で、且つ、対象魚が掛かり易いようにした釣り具に関する。
【背景技術】
【０００２】
一般に、釣り具は水中の潮流に従って自由に移動する釣り糸の重心を維持する機能と共に、魚の食いと掛かりを把握して釣る時点を決定できるようにする釣り用付属品の１つである。このような釣り具は概ね重みを有するシンカーとウォーム、フックから構成され、特に対象魚を誘き寄せるためのウォームは対象魚の種類などに応じて多様な形態と素材で製作されて水面、または水中に位置する。
【０００３】
図１は、従来の釣り具を示す図、図２Ａ乃至図２Ｃは、図１に示す釣り具の結合順序図である。
【０００４】
一般に、釣り具１は、魚や虫などの多様な形状を有するウォーム１０と、その一端に釣り糸２が連結されウォーム１０に挿入されて突出するフック２０と、釣り糸２に貫通挿入されてウォーム１０の上端に位置することで釣り具１が使用者の所望の位置に飛んで行けるようにするシンカー３０とから構成される。
【０００５】
ここで、フック２０は先端が尖った針状のフック部２１と、フック部２１の尖った先端の反対側の一端部から延長して略「Ｌ」字状に折り曲げられてウォーム１０に固定される固定部２２とからなる。
【０００６】
図２Ａ乃至図２Ｃを参照して、釣り具１の結合関係を説明すれば、まず、フック２０のフック部２１をウォーム１０の上端本体の中央から挿入させてウォーム１０の上端の本体を貫通させた後、フック部２１を引っ張ってウォーム１０の本体を通ってウォーム１０から尖った部分が一部突出するようにし、固定部２２がウォーム１０の上端に固定されるようにする。この状態で、シンカー３０は釣り糸に繋がってウォーム１０の上端に位置する。
【発明の開示】
【発明が解決しようとする課題】
【０００７】
しかしながら、このような従来の釣り具は、シンカー３０がウォーム１０に固定されていないため、水草の多い地域ではシンカー３０とウォーム１０との間に水草が巻き付いて困難となり、対象魚がウォーム１０及びフック２０に食い付いた際には対象魚の力によってフック２０の固定部２２がウォーム１０を破損し易くし、ウォーム１０の再使用が不可能であるという短所があった。
【０００８】
そこで、本発明は上記事情に鑑みてなされたものであって、その目的はシンカーがウォームに固定されることで、ウォームとシンカーとの間に水草が巻き付いくのを防ぎ、ウォームが破損し易くなるのを防止してウォームの再使用を可能にした釣り具を提供することにある。
【０００９】
また、本発明の他の目的は、フックがシンカーの一定範囲で回動可能に固定支持されることで、対象魚がウォーム及びフックに食い付いた場合にフックがウォームから突出するように回動されてウォームとの間隔が広がるため、対象魚がしっかり食い付いて釣りに成功できる確率が非常に高くなる釣り具を提供することにある。
【発明を解決するための手段】
【００１０】
上記目的を解決すべく、本発明による釣り具は、対象魚を誘引するためのウォームと、前記ウォームに挿入され、対象魚を釣るためのフックと、前記ウォームとフックが固定されるシンカーを備え、前記シンカーは、一端部に釣り糸が固定される固定ホールが形成され、中央部に前記フックの固定部が挿入される貫通孔が形成されている頭部と、前記頭部の他端部から突出し前記ウォームの一端から内側に挿入されて前記ウォームと前記シンカーとを結合させる挿入部とを備えることを特徴とする。
[発明の効果]
【００１１】
上述したように、本発明による釣り具は、シンカーがウォームに固定されることで、ウォームとシンカーとの間に水草が巻き付くのを防ぎ、ウォームが破損し易くなるのを防止してウォームの再使用が可能である。また、フックがシンカーの一定範囲で回動可能に固定支持されることで、対象魚がウォーム及びフックに食い付いた場合にフックがウォームから突出するように回動されてウォームとの間隔が広がるため、対象魚がしっかり食い付いて釣りに成功できる確率が非常に高くなるという効果を奏する。
【発明を実施するための最良の形態】
【００１２】
以下、添付の図面を参照しつつ、本発明の好適な実施形態について詳細に説明する。
【００１３】
図３は、本発明の実施形態による釣り具の分離斜視図を示す。図３に示すように、釣り具１００は、魚や虫などの多様な形状で対象魚を誘引するためのウォーム１１０と、ウォーム１１０に挿入されて対象魚を釣るためのフック１２０と、ウォーム１１０とフック１２０が所望の位置まで投げられるようにするシンカー１３０とから構成される。
【００１４】
ウォーム１１０は、一端面に後述するシンカー１３０の挿入部１３４が挿入され得る溝を有しており、水中で波に従って動けるように軟らかいシリコン材質からなることが好ましい。また、フック１２０は先端が尖った針状のフック部１２１と、フック部１２１の尖った先端の反対側の端部から延長して略「Ｌ」状に折り曲げられている固定部１２２とからなる。
【００１５】
図４及び図５は、本発明の実施形態による釣り具におけるシンカーの正面斜視図及び背面斜視図を示す。図６は、本発明の実施形態による釣り具におけるシンカーの断面図である。図４及び図５に示すように、シンカー１３０は、鉛や黄銅材からなり、重みを有する頭部１３２と、頭部１３２と一体に形成され、その頭部１３２の前端面から延びてウォーム１１０に挿入固定される挿入部１３４とから構成される。
【００１６】
頭部１３２は、側方向から見たとき、斜面が緩やかな曲面からなり、角部がラウンドした略矩形状を有する。また、頭部１３２の挿入部１３４反対側の端部には釣り糸２が結びで固定され得るように固定ホール１３２ａが形成され、頭部１３２の中央部にはフック１２０の固定部１２２が挿入される垂直貫通孔１３２ｂが形成され、頭部１３２の上面及び下面(斜面)にはそれぞれ後端及び前端から中央部まで貫通孔１３２ｂと連通するように延びる支持溝１３２ｃ、 １３２ｄが形成されて、貫通孔１３２ｂ及び支持溝１３２ｃ、１３２ｄは互いに連通されている。
【００１７】
これにより、フック１２０の固定部１２２が下側から貫通孔１３２ｂを介して挿入されて上側に突出し、図６に示すように、「Ｌ」状の固定部の終端が支持溝１３２ｃにより支持されてフック１２０がシンカー１３０の頭部１３２に固定される。
【００１８】
支持溝１３２ｃ、１３２ｄの幅は、フック１２０の固定部１２２の幅と同一か、やや大きいことが好ましい。
【００１９】
一方、挿入部１３４は、頭部１２０の前端面の中央部から延び、終端が尖って形成され、ウォーム１００との結合力を向上させるために、軸方向に沿って終端へ向かうほど収斂するようにテーパーされている係止段１３４ａが複数形成される。それぞれの係止段１３４ａは例示してはいないが、螺旋状に形成され得る。
【００２０】
このように構成される本発明による釣り具の結合及び作用を、図７Ａ乃至図７Ｄの釣り具の結合順序図を参照して説明すれば、以下の通りである。
【００２１】
まず、図７Ａでのように、シンカー１３０の挿入部１３４をウォーム１１０の後端面から内側に強制的に挿入するが、このとき、ウォーム１１０の後端面には、挿入部１３４の挿入を容易にするために、挿入ホールが形成され得る。テーパーされている複数の係止段１３４ａによりウォーム１１０と挿入部１３４との結合力が向上する。
【００２２】
さらに、図７Ｂ乃至図7Ｄを参照すれば、釣り糸２が固定ホール１３２ａに結びで固定されたシンカー１３０の頭部１３２にフック１２０の固定部１２１を貫通孔１３２ｂに挿入して貫通させ、その後、フック部１２１はウォーム１１０に挿入されて終端が埋め込みまたは一部突出するようになる。このとき、フック１２０の固定部１２２は支持溝１３２ｃ内に位置する。
【００２３】
このような結合状態で釣りをすれば、ウォーム１１０とシンカー１３０との結合が堅固であるため、従来のようにウォーム１１０とシンカー１３０との間に水草が巻き付くなどの問題を防止できる。
【００２４】
さらに、対象魚がフックに食い付いた場合、フック１２０にかかった対象魚が強い力で釣り糸２と反対方向にフック１２０を引っ張ると、フック１２０は図６でのように回動溝部１３２ｄの上方に回動し、それにより、ウォーム１１０からフック部１２１がさらに突出して対象魚の口部分がフック部１２１にしっかりと固定され得る。そして、釣り上げられた対象魚の解除時にもウォーム１１０を破損することなく、フック部１２１から容易に解除できる。これはフック１２０の回動によりウォーム１１０との間隔が広がっているからである。
【００２５】
そして、固定部１２２は支持溝１３２ｃ内に支持されてフック１２０の回動を制限してシンカー１３０からの離脱を防止する。
【００２６】
従って、本発明ではフック１２０が結合される頭部１３２とウォーム１１０が固定される挿入部１３４を有するシンカー１３０により、水草が巻き付くことが解消され、破損が防止されたウォーム１１０を再使用できる。
【００２７】
なお、上記記載は本発明による釣り具を実施するための一実施形態に過ぎず、本発明は上記実施形態に限定されるものではなく、実用新案登録請求の範囲に記載され、または明細書に開示された発明の要旨に基づき、当業者において様々な変形や変更が可能であることは勿論であり、斯かる変形や変更が、本発明の範囲に含まれることは言うまでもない。
【図面の簡単な説明】
【００２８】
【図１】従来の釣り具を示す図である。
【図２Ａ】図１に示す従来の釣り具において、ウォームがフックに結合する順序を示す図である。
【図２Ｂ】図１に示す従来の釣り具において、ウォームがフックに結合する順序を示す図である。
【図２Ｃ】図１に示す従来の釣り具において、ウォームがフックに結合する順序を示す図である。
【図３】本発明の実施形態による釣り具の分離斜視図である。
【図４】本発明の実施形態による釣り具におけるシンカーの正面斜視図である。
【図５】本発明の実施形態による釣り具におけるシンカーの背面斜視図である。
【図６】本発明の実施形態による釣り具におけるシンカーの断面図である。
【図７Ａ】本発明の実施形態による釣り具の結合順序図である。
【図７Ｂ】本発明の実施形態による釣り具の結合順序図である。
【図７Ｃ】本発明の実施形態による釣り具の結合順序図である。
【図７Ｄ】本発明の実施形態による釣り具の結合順序図である。
【符号の説明】
【００２９】
１００      釣り具
１１０      ウォーム
１２０      フック
１２１      フック部
１２２      固定部
１３０      シンカー
１３２      頭部
１３２ａ      固定ホール
１３２ｂ      貫通孔
１３２ｃ      支持溝部
１３２ｄ      回動溝部
１３４      挿入部
１３４ａ      結合具
【図１】
2008167754.tif 000003
【図２Ａ】
2008167754.tif 000004
【図２Ｂ】
2008167754.tif 000005
【図２Ｃ】
2008167754.tif 000006
【図３】
2008167754.tif 000007
【図４】
2008167754.tif 000008
【図５】
2008167754.tif 000009
【図６】
2008167754.tif 000010
【図７Ａ】
2008167754.tif 000011
【図７Ｂ】
2008167754.tif 000012
【図７Ｃ】
2008167754.tif 000013
【図７Ｄ】
2008167754.tif 000014